【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
水洗便器容器（１）と、楕円形状または円形状の容器開口部（２）と、洗浄水用の流入開口部（６）とを有する水洗便器であって、
平面図において、前記楕円形状の容器開口部（２）の場合、前記容器開口部（２）の内部形状の最長の内側寸法に相当する前記楕円形状の容器開口部（２）の長軸方向に沿った縦軸は、前記水洗便器の使用者の一般的な座位に関して前方から後方に向って定められ、前記円形状の容器開口部（２）の場合も同様に前記縦軸は前方から後方に向って定められ、
前記縦軸と、前記縦軸に対して直角で中心を延びる、前記縦軸に対する垂直二等分線である横軸とにより中心点が定められるとともに、前記縦軸と前記中心点とに基づいて方位角が定められ、前記平面図において、前記容器の任意の位置で、前記縦軸と前記横軸の交差部分まで接続線が引かれると、その線と前記縦軸との間の角度が、時計方向または逆時計方向で前記方位角として定められ、この際、０°の角度は、前記前方または前記後方に相当するものとし、
前記洗浄水用の流入開口部（６）が、より大きな方位角の方向に向けられており、前記平面図において、前記容器開口部（２）の形状に関して、前記洗浄水の流入方向が接線方向に定められ、
前記洗浄水が、前記流入開口部（６）を通って前記水洗便器容器（１）内に流入した後で、前記水洗便器容器（１）の内壁上を流れて、前記平面図において、前記中心点を基準にして、前記方位角で１５０°から２１０°の間で、前記内壁の凹状の湾曲部にぶつかり、
前記水洗便器容器（１）が洗浄水用の流路（５）を有し、その流路（５）は、前記水洗便器容器（１）の内部形状において、垂直断面において前記中心点を基準にして、外側の凹状縁部と内側の凸状縁部との間で定められ、前記流路（５）は、下方領域で前記流入開口部につながり、前記方位角で少なくとも９０°から２７０°の間を延び、
前記流入開口部（６）が、前記方位角で８０°から１８０°の間に設けられ、洗浄水が流入後に前記凹状の湾曲部とぶつかる方位角は、前記流入開口部（６）の前記方位角よりも大きく、
前記方位角で２３０°から、３６０°を通り過ぎて９０°までの間で、それを超えることなく第２の流路（７）が設けられ、少なくとも前記方位角で３１０°から３４０°の間に前記第２の流路（７）が設けられ、前記第２の流路（７）は、同様に前記水洗便器容器（１）の内部形状において、前記垂直断面において前記中心点を基準にして、前記外側の凹状縁部と前記内側の凸状縁部との間で定められ、かつ前記第２の流路（７）は、第１の前記流路（５）の他の部分と比べて、前記方位角の同一角度では、より高い位置にある、または前記第１の流路（５）の最も近い部分と比べて、より高い位置にある、
ように構成された、水洗便器。
【請求項２】
前記水洗便器容器（１）の上縁は、内側にアンダーカットを形成せず、特に、前記水洗便器容器（１）は、前記流入開口部（６）を除いて、アンダーカットを有しない、請求項１に記載の水洗便器。
【請求項３】
前記第１の流路（５）と前記第２の流路（７）のみを有し、さらに他の流路を有しない、請求項１または２に記載の水洗便器。
【請求項４】
前記方位角で９０°から２７０°の間で、前記第１の流路（５）の幅が、その最も幅広の箇所で、少なくとも１２ｃｍであるか、
前記方位角で３１０°から３４０°の間で、前記第２の流路（７）の幅が、その最も幅広の箇所で、少なくとも０．８ｃｍであるか、
のうち、一方または双方である、請求項１から３のいずれか１項に記載の水洗便器。
【請求項５】
前記第２の流路（７）が、水平方向からプラスマイナス１５°で最大に偏向するように進み、好適には前記方位角が大きくなるにつれて幾分傾斜が大きくなるように進む、請求項１から４のいずれか１項に記載の水洗便器。
【請求項６】
前記第１の流路（５）が、前記方位角で９０°から２７０°の間で傾斜して進み、これにより、前記流入開口部（６）を通って出る前記洗浄水の下向きの運動を補助し、この場合、前記方位角で９０°から２７０°の間で、前記流入開口部（６）に最も近い前記第１の流路（５）の部分は、前記方位角で３１０°から３４０°の間で、前記第２の流路（７）に最も近い前記第１の流路（５）の部分よりも高い位置にある、請求項１から５のいずれか１項に記載の水洗便器。
【請求項７】
前記方位角で３１０°から３４０°の間の前記第２の流路と、前記方位角で９０°から２７０°の間の前記第１の流路とが、０°を超えて互いに連続的に合流し、１つの流路を形成する、請求項１から６のいずれか１項に記載の水洗便器。
【請求項８】
前記方位角の０°が、前記水洗便器利用者の座位に関して後部に相当し、すなわち、尻の近くに相当し、前記０°の位置には前記流路（５）及び前記流路（７）は存在せず、この場合、前記方位角で９０°から２７０°の間の前記第１の流路（５）と、前記方位角で３１０°から３４０°の間の前記第２の流路（７）とは２つの別々の流路（５）及び流路（７）である、請求項１から６のいずれか１項に記載の水洗便器。
【請求項９】
方位角で３１０°から３４０°の間で前記第２の流路（７）の上方で、前記水洗便器容器の内部形状が、水平方向に対して少なくとも７０°の傾斜角を有する、請求項１から８のいずれか１項に記載の水洗便器。
【請求項１０】
前記方位角の０°が、前記水洗便器利用者の座位に関して後部に相当し、すなわち、尻の近くに相当し、この場合、前記方位角の０°において前記水洗便器容器（１）の内部形状が、吸い上げ管の上面水位（８）から、前記容器の上部への上部移行部までの間で、水平方向に対して少なくとも７０°の傾斜角を有する、請求項１から９のいずれか１項に記載の水洗便器。
【請求項１１】
前記方位角の０°が、前記水洗便器利用者の座位に関して後部に相当し、すなわち、尻の近くに相当し、この場合、その反対側の位置、すなわち、前記方位角の１８０°において、前記容器（１）の内部形状が、前記第１の流路（５）を定める凹状縁部から、そこから下方の吸い上げ管の上面水位（８）までの間で、水平方向に対して少なくとも７０°の傾斜角を有する、請求項１から１０のいずれか１項に記載の水洗便器。
【請求項１２】
前記第１の流路（５）が、前記方位角で９０°から２７０°までの間で、より大きい方位角に向かって連続的に延び、前記方位角で３１０°から３４０°の間では、前記第２の流路（７）と同じ方位角で少なくとも部分的に進み、前記第１の流路（５）が前記第２の流路（７）から離間してその下方を進む、請求項１から１１のいずれか１項に記載の水洗便器。
【請求項１３】
前記方位角で３１０°から３４０°の間で、前記第２の流路（７）が、前記洗浄水用の流入開口部（６）の下縁よりも全体的により高い位置にある、請求項１から１２のいずれか１項に記載の水洗便器。
【請求項１４】
請求項１から１３のいずれか１項に記載の水洗便器と、
好ましくは、隠蔽式タンクであって、好ましくは、洗浄水量が６ｌ未満である、洗浄水タンクと、
を備えた水洗便器設備。
【請求項１５】
請求項１から１３のいずれか１項に記載の洗浄用水洗便器または請求項１４に記載の水洗便器設備の使用方法であって、
流入開口部（６）から出る洗浄水が、前記第１の流路（５）に沿って旋回運動を行い、この洗浄水の一部が、３１０°から３４０°の間で前記第２の流路（７）の上方で案内されるようにした、使用方法。